(57)【要約】【課題】ベッドのマット座版が起伏した際に、患者の脚部等を挟んだりする危険性を回避し、また患者がベッドに乗り降りする際に、使い勝手の良いベッド介助部材を提供することである。【解決手段】ベッド介助部材１は、ベッド側部に連結される支持枠体２と、該支持枠体に設けられる補助枠体３とを有し、補助枠体３を、ベッド側部に対して斜め外側方向に屈曲させて延設している。補助枠体３は、少なくとも上部把手杆部３０と下部把手杆部３１を有する枠体であり、下部把手杆部３１をベッド側部に対して斜め上方に屈曲させている。補助枠体３の上部把手杆部３０と下部把手杆部３１は、平面方向から見てベッド外側方向の屈曲角度が相違し、上部把手杆部３０と上部把手杆部３１が捩れた状態の略三角形状の枠体となっている。【選択図】図１
0003126234.tif 000002
【実用新案登録請求の範囲】
【請求項１】
ベッドの側部に設けられる介助部材であって、ベッド側部に連結される支持枠体と、該支持枠体に設けられる補助枠体とを有し、
前記補助枠体を、ベッド側部に対して斜め外側方向に屈曲させて延設したことを特徴とするベッド介助部材。
【請求項２】
前記補助枠体は、少なくとも上部把手杆部と下部把手杆部を有する枠体であり、下部把手杆部をベッド側部に対して斜め上方に屈曲させていることを特徴とする請求項１に記載のベッド介助部材。
【請求項３】
前記補助枠体の上部把手杆部と下部把手杆部は、平面方向から見てベッド外側方向の屈曲角度が相違していることを特徴とする請求項１〜２のいずれかに記載のベッド介助部材。
【請求項４】
前記下部把手杆部のベッド外側方向の屈曲角度が前記上部把手杆部の屈曲角度よりも大きいことを特徴とする請求項３に記載のベッド介助部材。
【請求項５】
前記補助枠体は、前記下部把手杆部と上部把手杆部がベッド外側において連結し、これら下部把手杆部と上部把手杆部が捩れた状態の略三角形状の枠体となっていることを特徴とする請求項２〜４のいずれかに記載のベッド介助部材。
【請求項６】
前記支持枠体は、上部支持杆部と下部支持杆部を有しており、上部支持杆部を把手部とし、下部支持杆部をベッド側部への連結部とすることを特徴とする請求項１〜５のいずれかに記載のベッド介助部材。
【請求項７】
前記支持枠体の上部支持杆部と下部支持杆部に、前記補助枠体の上部把手杆部と下部把手杆部をそれぞれ連結したことを特徴とする請求項２〜６のいずれかに記載のベッド介助部材。
【請求項８】
前記補助枠体の上部把手杆部は、前記支持枠体の上部支持杆部よりも高い位置にあることを特徴とする請求項７に記載のベッド介助部材。
【請求項９】
前記補助枠体の表面部に弾性体が被着されていることを特徴とする請求項１〜８のいずれかに記載のベッド介助部材。
【請求項１０】
ベッドの側部に設けられる介助部材であって、少なくとも上部把手杆部と下部把手杆部を有し、
これら上部把手杆部と下部把手杆部をベッド側部に対して斜め外側方向に屈曲させるとともに、
下部把手杆部をベッド側部に対して斜め上方に屈曲させた枠体としたことを特徴とするベッド介助部材。
【請求項１１】
前記上部把手杆部と下部把手杆部は、平面方向から見て前記下部把手杆部のベッド外側方向の屈曲角度が前記上部把手杆部の屈曲角度よりも大きいことを特徴とする請求項１０に記載のベッド介助部材。
【請求項１２】
前記下部把手杆部と上部把手杆部がベッド外側において連結し、これら下部把手杆部と上部把手杆部が捩れた状態の略三角形状の枠体となっていることを特徴とする請求項１０〜１１のいずれかに記載のベッド介助部材。
【請求項１３】
ベッドの側部に設けられる介助部材であって、該介助部材は、ベッド側部の外側斜め上方に傾く傾斜体であることを特徴とするベッド介助部材。
【請求項１４】
前記傾斜体は枠体であることを特徴とする請求項１３に記載のベッド介助部材。
【請求項１５】
前記傾斜体は面体であることを特徴とする請求項１３に記載のベッド介助部材。
【考案の詳細な説明】
【技術分野】
【０００１】
本考案は、患者等がベッドから立ち上がる際の把手として使用されるベッド介助部材に関するものである。
【背景技術】
【０００２】
病院や家庭等において、足腰が衰弱した患者や障害のある患者等が使用するベッドには、患者等が起き上がる際の補助として、把手となる介助部材が設けられたものが知られている。この介助部材としては、例えばベッド側部に装着される手摺の上部に、補助把持部をベッド側部と平行方向に突設したものや（特許文献１）、この補助把持部をベッド外側に旋回できるようにしたもの（特許文献２）などが提案されている。
【０００３】
しかしながら、このように補助把持部がベッド側部と平行方向に突設されたものは、ベッドのマット座版を起伏した際に、補助把持部により患者の脚部等を挟む危険性があり、また医師や介護人等が処置する際に邪魔になることもある。さらに補助把持部の高さが一定のため、とくに腕力が衰えている患者にとっては補助枠体に辿りつくまでが大変であり、補助枠体の形状も平面的あるため強度的にも不安がある等の問題がある。
【０００４】
【特許文献１】実開平６−４８６４１号公報
【特許文献２】特開２００４−３５７８７５公報
【考案の開示】
【考案が解決しようとする課題】
【０００５】
本考案は、上記した問題を解決するために提案されたものであり、その第１の解決課題は、ベッドのマット座版が起伏した際に、患者の脚部等を挟んだりする危険性のない安全なベッド介助部材を提供することである。
また第２の解決課題は、患者がベッドに乗り降りする際に、使い勝手が良く、強度の強いベッド介助部材を提供することである。
また第３の解決課題は、構成がシンプルでデザイン性にも優れ、安価に製造することができるベッド介助部材を提供することである。
【課題を解決するための手段】
【０００６】
上記課題を解決するため、請求項１の考案のベッド介助部材にあっては、ベッドの側部に設けられる介助部材であって、ベッド側部に連結される支持枠体と、該支持枠体に設けられる補助枠体とを有し、
前記補助枠体を、ベッド側部に対して斜め外側方向に屈曲させて延設したことを特徴とする。
【０００７】
このようにすると、補助枠体は、ベッド側部に対して斜め外側方向に屈曲しているため、ベッドのマット座板を起伏させる際、補助枠体によって患者の脚部等を挟む危険性がなくなり、安全性が向上する。
【０００８】
ここでの支持枠体は、補助枠体を支持するものであれば特に限定するものではなく、補助枠体の形状、構成も任意である。支持枠体と補助枠体の関係も、固定式、着脱式、一体成形式など任意である。支持枠体と補助枠体の材質も、金属製、プラスチック製、木製等任意であるが、強度と加工性から金属製が好ましい。
【０００９】
また請求項２の考案にあっては、請求項１の考案において、前記補助枠体は、少なくとも上部把手杆部と下部把手杆部を有する枠体であり、下部把手杆部をベッド側部に対して斜め上方に屈曲させていることを特徴とする。
【００１０】
このようにすると、下部把手杆部がベッド側部に対して斜め上方に屈曲しているため、患者等は下部把手杆部を掴んで少しずつ起き上がることができ、また下部把手杆部を片手で持った状態で、他方の腕を上部把手杆部に持たれ掛けることができる。
【００１１】
ここでは上部把手杆部と下部把手杆部のほかに、これら把手杆を連結する補助的な把手杆を有していてもよく、上部把手杆部と下部把手杆部により形成される枠体形状も、後述する略三角形状のほかに、四角形状、台形状、楕円形状等、任意である。
【００１２】
また請求項３の考案にあっては、請求項１〜２のいずれかの考案において、前記補助枠体の上部把手杆部と下部把手杆部は、平面方向から見てベッド外側方向の屈曲角度が相違していることを特徴とする。
【００１３】
このようにすれば、上部把手杆部と下部把手杆部が平面方向から見て捩れた状態となり、その捩れ関係を利用して、例えばベッドに乗り降りの際、上部把手杆部と下部把手杆部の間に臀部をもたれ掛けることができる。
【００１４】
請求項４の考案にあっては、請求項３の考案において、前記下部把手杆部のベッド外側方向の屈曲角度が前記上部把手杆部の屈曲角度よりも大きいことを特徴とする。このようにすれば、前述した上部把手杆部と下部把手杆部の捩れ関係が好ましい形態となる。
【００１５】
また請求項５の考案にあっては、請求項２〜４のいずれかの考案において、前記補助枠体は、前記下部把手杆部と上部把手杆部がベッド外側において連結し、これら下部把手杆部と上部把手杆部が捩れた状態の略三角形状の枠体となっていることを特徴とする。
【００１６】
このようにすれば、上述した補助枠体の使い勝手がさらに良くなり、強度的にも強くなり、外観上の体裁も良くなる。
【００１７】
また請求項６の考案にあっては、請求項２〜６のいずれかの考案において、前記支持枠体は、上部支持杆部と下部支持杆部を有しており、上部支持杆部を把手部とし、下部支持杆部をベッド側部への連結部とすることを特徴とする。
【００１８】
このようにすると、支持枠体をベッド側部との連結に使用するばかりでなく、介助部材としても利用することができ、前述した補助枠体の機能と相俟って介助部材としての使い勝手が向上する。
【００１９】
また請求項７の考案にあっては、請求項２〜６のいずれかの考案において、前記支持枠体の上部支持杆部と下部支持杆部に、前記補助枠体の上部把手杆部と下部把手杆部をそれぞれ連結したことを特徴とする。
【００２０】
このようにすれば、支持枠体と補助枠体の一体性が確保されるとともに、強度的にも強くなり、構成が簡素化され、組立分解も簡単になる。
【００２１】
また請求項８の考案にあっては、請求項７の考案において、前記補助枠体の上部把手杆部は、前記支持枠体の上部支持杆部よりも高い位置にあることを特徴とする。
【００２２】
このようにすれば、ベッドから起き上がる際、支持枠体の上部支持杆部から補助枠体の上部把手杆部に少しずつ掴み位置を変えることができるため便利である。
【００２３】
また請求項９の考案にあっては、前記補助枠体の表面部に弾性体が被着されていることを特徴とする。このようにすれば、怪我等を防止できるばかりでなく、補助枠体を掴みやすく、かつ滑りにくくなる。
【００２４】
さらに請求項１０の考案にあっては、ベッドの側部に設けられる介助部材であって、
少なくとも上部把手杆部と下部把手杆部を有し、
これら上部把手杆部と下部把手枠杆部をベッド側部に対して斜め外側方向に屈曲させるとともに、
下部把手枠杆部をベッド側部に対して斜め上方に屈曲させた枠体としたことを特徴とする。
【００２５】
本考案のベッド介助部材は、前記した支持枠体を省略し、前記補助枠体だけで構成されている。このベッド介助部材は、例えば支持枠体に代えて、例えばベッド側部に有する既設の枠体に設ける際に有効である。
【００２６】
また請求項１１の考案にあっては、請求項１０の考案において、前記上部把手杆部と下部把手杆部は、平面方向から見て前記下部把手杆部のベッド外側方向の屈曲角度が前記上部把手杆部の屈曲角度よりも大きいことを特徴とする。
【００２７】
さらに請求項１２の考案にあっては、請求項１０〜１１のいずれかの考案において、前記下部把手杆部と上部把手杆部がベッド外側において連結し、正面方向から見て略三角形状の枠体となっていることを特徴とする。これら請求項１０〜１２の考案は、前記補助枠体で説明した機能と同じである。
【００２８】
さらに請求項１３の考案にあっては、ベッドの側部に設けられる介助部材であって、該介助部材は、ベッド側部の外側斜め上方に傾く傾斜体であることを特徴とする。
【００２９】
介助部材を傾斜体とすることにより、設置場所、患者等の状態等に応じて様々な傾斜体を選択して上述した課題を解決することができる。このため、請求項１４の考案にあっては、前記傾斜体は枠体であることを特徴とし、請求項１５の考案にあっては、前記傾斜体は面体であることを特徴とする。
【００３０】
前記枠体は全体がリング状に繋がっている必要はなく、一端部が途中で分断しているような形状の枠体であってもよい。また前記面体は、平面体、立面体を含んであり、患者が寄り掛かったり、座ったりすることができるような介助部材とすることができる。
【考案の効果】
【００３１】
上述した本考案のベッド介助部材によれば、ベッドのマット座版が起伏した際に、患者の脚部を挟んだりする危険性を防止でき、安全性が向上する。
また本考案のベッド介助部材は、患者等が掴む把手部分が特殊な形状で構成されているため、患者がベッドに乗り降りする際に、様々な態様で利用することができるため使い勝手が良く、強度も強くなる。
また本考案のベッド介助部材は、構成がシンプルでデザイン性にも優れ、安価に製造することができる。
その他、本考案のベッド介助部材によれば、上述した各請求項の考案で説明した効果を得ることができる。
【考案を実施するための最良の形態】
【００３２】
以下、本考案の実施形態を添付図面に基づき説明する。
図１は、本考案のベッド介助部材を後方から見た斜視図、図２は下方から見た斜視図、図３は同じく下方から見た組立分解図である。また、図４は正面図、図５は平面図、図６は底面図、図７は左側面図、図８は右側面図を示している。
【００３３】
これらの図面において、ベッド介助部材１は、支持枠体２とこの支持枠体２に延設される補助枠体３から構成されている。支持枠体２は、平行に配置された上部支持杆部２０（図２乃至図４参照）と下部支持杆部２１を有しており、下部支持杆部２１は上部支持杆部２２より長尺となっている。
【００３４】
これら支持杆部２０，２１の後端部は長尺の後部連結杆部２２に固定されるとともに、上部支持杆部２０の前端部と下部支持杆部２１の中間部は短尺の前部連結杆部２３で固定されている。また後部連結杆部２２の延長下端部と、下部支持杆部２１の前端下部に固定された連結杆部２４には、ベッドの差込部となる脚部２２ａ，２４ａが突設されている。
【００３５】
上部支持杆部２０の上面部には、把手部材２０ａが固定されている。この把手部材２０ａは、図９及び図１０に示すように断面略半円状であり、下端部に半円状の切欠部２０ｂが形成されるとともに、長さ方向の複数箇所にネジ孔２０ｃが形成されている。また、上部支持杆部２０にも前記ネジ孔２０ｃと対応した位置にネジ孔２０ｄが貫通され、止めネジ２０ｅを上部支持杆部２０のネジ孔２０ｄから把手部材２０ａのネジ孔２０ｃに螺入して把手部材２０ａを上部支持杆部２０の上面部に止着している。
【００３６】
把手部材２０ａは、ここでは木製であるが、硬質又は弾性力を有するプラスチック製、ゴム製としても良い。また、上部支持杆部２０、下部支持杆部２１、連結杆部２２，２３，２４及び脚部２２ａ，２４ａは、ここでは金属管製である。
【００３７】
補助枠体３は、図２乃至図８に示すように三次元方向に湾曲した枠体であり、全体がベッド側部に対して斜め外側方向に屈曲した形状となっている。この補助枠体３は、支持枠体２の上部支持杆部２０に連結する上部把手杆部３０と、下部支持杆部２１に連結する下部把手杆部３１を有しており、これらがベッド外側において連結するとともに、両把手杆部３０，３１が捩れた状態となった略三角形状の枠体となっている。
【００３８】
具体的には、上部把手杆部３０の後端部には立ち上がり部３０ａが形成され、上部把手部３０が、支持枠体２の上部支持杆部２０よりも高い位置となるように上方に屈曲され、さらにベッド側部の外側に屈曲される。また下部把手杆部３１は、ベッド側部に対して斜め上方に屈曲され、上部把手杆部３０の先端部において連結される。このとき、両把手杆部３０，３１のベッド側部の外側への屈曲角度は相違しており、図５に示すように、平面方向から見て下部把手杆部３１の屈曲角度αが上部把手杆部３０の屈曲角度βよりも大きく屈曲している。
【００３９】
また、図３に示すように、上下把手杆部３０，３１の後端部３０ｂ，３１ｂと、前記支持枠体２の上下支持杆部２０，２１には、互いに対応した位置にネジ孔３０ｃ，３１ｃ及び２０ｆ，２１ｆを有しており、上下把手杆部３０，３１の接続杆部３０ｂ，３１ｂの先端部を上下支持杆部２０，２１の先端部にそれぞれ挿入し、止めネジ２０ｇ，２１ｇで止着することにより、上下把手杆部３０，３１を上下支持杆部２０，２１に固定している（図３及び図１１参照）。
【００４０】
上下把手杆部３０，３１は、１本の金属管を成形加工してもよいし、所定形状に加工した複数の金属管を連結してもよい。この上下把手杆部３０，３１の表面部にはウレタン樹脂、ゴム等の弾性材３３（図１参照）が被着されている。なお、図面ではこの弾性材３３を被着た状態のものを上下把手杆部３０，３１として表示しているものもある。
【００４１】
図１２は、本考案のベッド介助部材１をベッド側部に取り付けた状態の斜視図である。ベッド４の側部には、複数の介助部材差込部材４０，４０が固定されており、ベッド介助部材１における支持枠体２の脚部２２ａ，２４ａをこの介助部材差込部材４０，４０に差し込んで取り付ける。図１２では便宜上、ベッド４の上半部の一側部にだけベッド介助部材１を取り付けているが、ベッド上半部の左右両側部、ベッド下半部の左右両側又は一側部に取り付けることもできる。なお、ベッド４はマット座板が駆動装置により起伏して、背上げ、膝上げ等の角度調整が可能になっている。
【００４２】
上述したベッド介助部材１の使用例を説明すると、図１２のようにベッド介助部材１をベッド側部に取り付けた状態で、ベッド４のマット座版を背上げ又は膝上げモードに起伏させた場合、補助枠体３はベッド側部より外側に屈曲しているため、補助枠体３により患者等の脚部等を挟んだりする危険性を回避することができる。
【００４３】
また患者等がベッド４から降りる際、支持枠体２の上部支持杆部２０（把手部材２０ａ）、補助枠体３の上部把手杆部３０及び下部把手杆部３１と、少しずつ掴む位置と高さを変えながら徐々に起き上がることができる。また、補助枠体３の下部把手杆部３１を一方の手で掴んだ状態で他方の腕を上部把手杆部３０にもたれ掛かることもできる。さらに、ベッド４に乗り降りする際に、補助枠体３の上部把手杆部３０と下部把手杆部３１の間に
臀部をもたれ掛けることもできる。その他、三次元方向に湾曲した補助枠体３の形態を様々に利用することができる。
【００４４】
上述した実施形態は、本考案の一例を示したものであり、支持枠体２、補助枠体３の構成等は図示したものに限定されるものではなく、取り付けるベッドの形態等に応じて変更することができる。また支持枠体２を省略し、補助枠体３だけを適当な既設のベッド枠等に取り付けることもできる。
【図面の簡単な説明】
【００４５】
【図１】本考案のベッド介助部材を後方から見た斜視図
【図２】同じく下方から見た斜視図
【図３】同じく下方から見た組立分解図
【図４】同じく正面図
【図５】同じく平面図
【図６】同じく底面図
【図７】同じく左側面図
【図８】同じく右側面図
【図９】同じく図４のＡ−Ａ断面図
【図１０】同じく図９のＢ部拡大図
【図１１】同じく図９のＣ部拡大図
【図１２】本考案のベッド介助部材を取り付けたベッドの斜視図
【符号の説明】
【００４６】
１はベッド介助部材
２は支持枠体
３は補助枠体
４はベッド
２０は上部支持枠部
２０ａは把手部材
２１は下部支持枠部
２２，２３，２４は連結杆部
２２ａ，２４ａは脚部
３０は上部把手杆部
３１は下部把手杆部
３３は弾性体
４０は介助部材差込部材
【図１】
0003126234.tif 000003
【図２】
0003126234.tif 000004
【図３】
0003126234.tif 000005
【図４】
0003126234.tif 000006
【図５】
0003126234.tif 000007
【図６】
0003126234.tif 000008
【図７】
0003126234.tif 000009
【図８】
0003126234.tif 000010
【図９】
0003126234.tif 000011
【図１０】
0003126234.tif 000012
【図１１】
0003126234.tif 000013
【図１２】
0003126234.tif 000014